(57)【要約】【課題】  どの回線を利用して架電しているかを架電者に通知するＩＰ電話機を提供することを目的とする。【解決手段】  公衆電話回線網、ＩＰ網を介して架電が可能なＩＰ電話機であって、公衆電話回線網又はＩＰ網と接続したモデムが発するモデム音を検出し、モデム音の種類によって、ＩＰ電話機が現在利用している回線のルートを判別する回線判別手段と、回線判別手段が判別した回線のルートを架電者に対して通知する通知手段と、を有するＩＰ電話機である。【選択図】  図１
2005136680.tif 000002
【特許請求の範囲】
【請求項１】
公衆電話回線網又はＩＰ網を介して架電が可能なＩＰ電話機であって、
前記ＩＰ電話機と接続するモデムが発するモデム音を検出し、前記モデム音の種類によって、前記ＩＰ電話機が現在利用している回線のルートを判別する回線判別手段と、
前記回線判別手段が判別した回線のルートを架電者に対して通知する通知手段と、
を有することを特徴とするＩＰ電話機。
【請求項２】
前記ＩＰ電話機はＬＥＤを有しており、
前記通知手段は、前記ＬＥＤの色及び／又は点滅及び／又は明度により、前記利用している回線のルートの種別を架電者に通知する、
ことを特徴とする請求項１に記載のＩＰ電話機。
【請求項３】
前記ＩＰ電話機はディスプレイ装置を有しており、
前記通知手段は、前記利用している回線のルートの種別を前記ディスプレイ装置で表示する、
ことを特徴とする請求項１に記載のＩＰ電話機。
【請求項４】
前記通知手段は、前記利用している回線のルートの種別を、受話器を通して音声により通知する、
ことを特徴とする請求項１に記載のＩＰ電話機。
【発明の詳細な説明】
【技術分野】
【０００１】
本発明はＩＰ電話機に関し、特に、ＩＰ網、公衆電話回線網の２回線で通話が可能なＩＰ電話機であって、どの回線を利用して架電しているかを架電者に通知するＩＰ電話機に関する。
【背景技術】
【０００２】
近年、通信技術の発達と共に、電話を利用する際に、従来の公衆電話回線網ではなく、ＩＰ網（ＩＰネットワーク）も利用した架電が可能な、所謂ＩＰ電話（ＩＰ電話とは、ネットワークの一部又は全部に於いてＩＰネットワーク技術を利用して提供する音声サービスを言う）がある。
【０００３】
ＩＰ電話機を用いて架電する場合、図２に示すように３通りの回線利用方法がある。第１のルートＡは、ＩＰ電話機と接続したモデムを通しＩＰ網を介して相手先の電話機に架電するルートである。この場合、相手先の電話機は、架電者と同様にＩＰ電話を利用できる環境（即ちモデムやＩＰ電話機を所持する環境）でなければならない。
【０００４】
第２のルートＢは、相手先の電話機がＩＰ電話を利用出来る環境になく、一般の電話機しか所持していない場合には、ＩＰ網のみを介して直接相手先に架電することが出来ないので、モデムからＩＰ網を介した後、更にＩＰ網と公衆電話回線網を接続するゲートウェイを通じて公衆電話回線網を介して、相手先の電話機と架電するルートである。この場合には、相手先の電話機はＩＰ電話機である必要がなく、通常の電話機で良い。
【０００５】
第３のルートＣは、相手先の電話機が、例えば携帯電話である場合や、１１０番、１１９番等の特定の電話番号である場合、ＩＰ網を介さずに、直接公衆電話回線網を通して、相手先の電話機と架電するルートである。
【０００６】
このように、公衆電話回線網しか介さない通常の電話機とは異なり、三種類のルートを利用する為、その利用している回線の種類によって通話料金が変わるという特徴がＩＰ電話機には存在している。従って、ＩＰ網を利用しているのか、公衆電話回線網を利用しているのかを架電者が知ることは、料金面からも切実な問題である。
【０００７】
【特許文献１】特表２００１−５１３６０３号公報
【発明の開示】
【発明が解決しようとする課題】
【０００８】
しかし従来のＩＰ電話機では、上記特許文献１に示すように、通話相手の通話状態（相手が通話中であるか、通話可能状態にあるか）を検出し、架電者に通知するＩＰ電話機は存在するものの、そもそも公衆回線網のみの利用しか想定していないので、利用している回線種別を判別可能な電話機は存在していない。つまり、自らのＩＰ電話機がＩＰ網を利用しているのか、公衆電話回線網を利用しているのかを通知し、架電者に把握させるＩＰ電話機は存在していない。
【課題を解決するための手段】
【０００９】
そこで本発明者は、当該ＩＰ電話機が現在どの回線を利用して架電するのか、即ちＩＰ網を利用しているのか、公衆電話回線網を利用しているのかを架電者に通知することが可能なＩＰ電話機を発明した。
【００１０】
請求項１の発明は、
公衆電話回線網又はＩＰ網を介して架電が可能なＩＰ電話機であって、前記ＩＰ電話機と接続するモデムが発するモデム音を検出し、前記モデム音の種類によって、前記ＩＰ電話機が現在利用している回線のルートを判別する回線判別手段と、前記回線判別手段が判別した回線のルートを架電者に対して通知する通知手段と、を有するＩＰ電話機である。
【００１１】
本発明によって、従来の電話機には存在していなかった、現在利用している回線の種別を、架電者に対してその場で通知することが可能となる。
【００１２】
請求項２の発明は、
前記ＩＰ電話機はＬＥＤを有しており、前記通知手段は、前記ＬＥＤの色及び／又は点滅及び／又は明度により、前記利用している回線のルートの種別を架電者に通知する、ＩＰ電話機である。
【００１３】
本発明によって、その発色、点滅等によって、視覚的に架電者に回線の種別を通知することが可能となる。
【００１４】
請求項３の発明は、
前記ＩＰ電話機はディスプレイ装置を有しており、前記通知手段は、前記利用している回線のルートの種別を前記ディスプレイ装置で表示する、ＩＰ電話機である。
【００１５】
本発明によって、液晶等のディスプレイ装置を介して架電者に回線の種別を詳細に通知することが可能となる。
【００１６】
請求項４の発明は、
前記通知手段は、前記利用している回線のルートの種別を、受話器を通して音声により通知する、ＩＰ電話機である。
【００１７】
本発明によって、受話器を通して音声によって、聴覚的に架電者に回線の種別を通知することが可能となる。
【発明の効果】
【００１８】
本発明によって、架電者はどの回線を利用することになるのかを把握することができる。これによって、例えばＩＰ網が混雑しているので自動的に公衆電話回線網で架電をするようにＩＰ電話機が回線を確保した場合、一度受話器を置くことによって、ＩＰ電話機がＩＰ網の回線を確保するまで、繰り返すことが可能となる。従って、架電者による回線料金の負担を選択する余地が高まる。
【発明を実施するための最良の形態】
【００１９】
本発明に於いて用いるＩＰ電話機１（ＩＰ電話を利用可能なＩＰ電話機を言う）の外観を図１に示す。図１（ａ）はＩＰ電話機１の斜視図、図１（ｂ）はＩＰ電話機１を正面から見た場合の正面図、図１（ｃ）はＩＰ電話機１を側面から見た場合の側面図、図１（ｄ）はＩＰ電話機１を上方から見た場合の平面図である。
【００２０】
ＩＰ電話機１は、通常のＩＰ電話機１と同様に、ＩＰ電話機本体、受話器２、電話番号を入力する為のプッシュボタン４が供えられている。更に本発明のＩＰ電話機１では、架電者がどの回線を利用して架電しているかを判別する回線判別手段１０と、その種別を架電者に通知する通知手段１１がある。尚、図１では当該通知手段１１による通知がＬＥＤ３を介して行われる場合を示している。図６にＩＰ電話機１にＬＥＤ３が備えられた箇所の拡大図を示す。
【００２１】
更にＩＰ電話機１のシステム構成も含めたシステム構成図を図３に示す。ＩＰ電話機１は、上述のようにＩＰ電話機１本体、受話器２、プッシュボタン４に加えて、回線判別手段１０と通知手段１１とを有している。
【００２２】
回線判別手段１０は、架電者がＩＰ電話機１のプッシュボタン４から相手先の電話機６の電話番号を入力した場合、モデム５が発するモデム音を検出することで、ＩＰ回線網を利用して架電しているのか（ルートＡ）、ＩＰ網及び公衆電話回線網を利用して架電しているのか（ルートＢ）、公衆電話回線網のみを利用して架電しているのか（ルートＣ）の判別を行う手段である。
【００２３】
モデム５は、ＩＰ電話機１で入力された電話番号に基づいて相手先の電話機６に架電する為の回線を確保している。又、その電話番号、ＩＰ網の回線のトラフィック状況に応じて適宜利用する回線を変更している。例えば入力した電話番号が携帯電話番号であった場合、モデム５はＩＰ網を介することなく、直接公衆電話回線網を介して相手先の電話機６に架電をし、入力した電話番号が、例えば「０５０」から始まるＩＰ電話用に割り当てられた電話番号の場合、モデム５はＩＰ網のみを介して相手先の電話機６に架電をする。そして、通常の電話番号であった場合には、ＩＰ網とゲートウェイを介し更に公衆電話回線網を介することによって相手先の電話機６に架電する。又、電話番号で回線を変更するほか、例えばＩＰ網が混雑している場合（ネットワークトラフィックが多い場合）には、ルートＡのみだけではなく、適宜ルートＢやルートＣを利用している。
【００２４】
従って、利用者は現実的にはモデム５がどの回線を利用しているのかを容易には把握することが出来ないので、それを回線判別手段１０がモデム５から発せられるモデム音を検出することで判別する。例えば上述のルートＡの場合、モデム５は呼出音として「プププ・プププ」のような音を発しており、ルートＢの場合、モデム５は呼出音として「プププ」のような音を発しており、更にルートＣの場合、モデム５は無音（モデム５は音を発さない）となる。従ってこの呼出音を検出することで、現在利用している回線を判別することとなる。
【００２５】
通知手段１１は、回線判別手段１０で判別した回線の種別を架電者に対して、ＬＥＤ３や液晶等のディスプレイ装置、音声等によって通知する手段である。例えばこの通知が、図１に示すようにＬＥＤ３により行われる場合、その色、点滅、明度のうち一以上を変更するようにＬＥＤ３を制御する。例えばルートＡを利用している場合には、呼出中には青色でＬＥＤ３を点滅させ、更に通話中には青色を点灯する。ルートＢを利用している場合には、呼出中には橙色でＬＥＤ３を点滅させ、更に通話中には橙色で点灯する。ルートＣを利用している場合には呼出中及び通話中には点滅及び点灯を行わない。
【００２６】
つまり図６の拡大図で示した、ＬＥＤ３の点灯、点滅、明度のうち一以上の種類によって、回線種別を利用者に通知する。
【００２７】
更に通知手段１１は、図１及び図６に示したＬＥＤ３の他にも、例えばＩＰ電話機１に、液晶等によるディスプレイ装置がある場合には、そのディスプレイ装置に「ＩＰ網のみを利用中」、「ＩＰ網と公衆電話回線網を利用中」、「公衆電話回線網のみを利用中」と表示することによって、回線種別を通知しても良いし、受話器２を通して上述の回線種別を音声によって通知しても良い。
【００２８】
上述したような、本発明に於ける回線判別手段１０、通知手段１１は半導体のチップに回路を構成することによっても実現可能であり、その回路の一例を図５に示す。尚、このチップはＩＰ電話機１の本体内部に備えられる。
【実施例】
【００２９】
次に本発明のＩＰ電話機１に於ける、架電者に対する回線種別の通知について、図４のフローチャート図、図１のＩＰ電話機１の外観図、図２のＩＰ電話機１の回線利用方法を示す図、図３のシステム構成図を用いて説明する。
【００３０】
架電者は架電する際には、従来の電話機と同様に受話器２を外し（Ｓ１００）、ＩＰ電話機１のプッシュボタン４を押下する等によって、相手先の電話機６の電話番号を入力する（Ｓ１１０）。
【００３１】
この電話番号の入力を受けたＩＰ電話機１は、その電話番号やＩＰ網のネットワークトラフィック等の混雑状況に応じて、適宜どの回線を利用するかを判別し、相手先の電話機６に架電する。
【００３２】
この際に、モデム５はルートＡ、ルートＢ、ルートＣのいずれかのルートで回線を確保することとなるので、その場合、各ルートに応じたモデム音を発することとなる（或いは無音）。例えば上述のルートＡの場合、モデム５は呼出音として「プププ・プププ」のような音を発しており、ルートＢの場合、モデム５は呼出音として「プププ」のような音を発しており、更にルートＣの場合、モデム５は無音となる。
【００３３】
ＩＰ電話機１の回線判別手段１０は、モデム５が発するモデム音を検出することで、現在どのルートを利用して架電しているかを判別する（Ｓ１２０）。
【００３４】
通知手段１１は、この回線判別手段１０で判別した回線の種別を架電者に対して通知する（Ｓ１３０）。例えば図１の外観図に示すように、ＩＰ電話機１にＬＥＤ３がある場合には、ＬＥＤ３の色、点滅、明度のうち一以上をルートに応じて変更することで、通知を行う。
【００３５】
例えばルートＡを利用している場合には、呼出中には青色でＬＥＤ３を点滅させ、更に通話中には青色を点灯する。ルートＢを利用している場合には、呼出中には橙色でＬＥＤ３を点滅させ、更に通話中には橙色で点灯する。ルートＣを利用している場合には呼出中及び通話中には点滅及び点灯を行わない。
【００３６】
又、通知手段１１による通知の方法はＬＥＤ３に限定するものではなく、例えばＩＰ電話機１に、液晶等によるディスプレイ装置がある場合には、そのディスプレイ装置に「ＩＰ網のみを利用中」、「ＩＰ網と公衆電話回線網を利用中」、「公衆電話回線網のみを利用中」と表示することによって、回線種別を通知しても良いし、受話器２を通して上述の回線種別を音声によって通知しても良い。
【００３７】
本発明に於ける各手段は、その機能が論理的に区別されているのみであって、物理上あるいは事実上は同一の領域を為していても良い。
【００３８】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００３９】
この場合、記憶媒体から読み出されたプログラム自体が前記した実施態様の機能を実現することとなり、そのプログラムを記憶した記憶媒体は本発明を当然のことながら構成することになる。
【００４０】
プログラムを供給する為の記憶媒体としては、例えば磁気ディスク、ハードディスク、光ディスク、光磁気ディスク、磁気テープ、不揮発性のメモリカード等を使用することができる。
【００４１】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００４２】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００４３】
上述の発明によって、架電者はどの回線を利用することになるのかを把握することができる。これによって、例えばＩＰ網が混雑しているので自動的に公衆電話回線網で架電をするようにＩＰ電話機が回線を確保した場合、一度受話器を置くことによって、ＩＰ電話機がＩＰ網の回線を確保するまで、繰り返すことが可能となる。従って、架電者による回線料金の負担を選択する余地が高まる。
【図面の簡単な説明】
【００４４】
【図１】ＩＰ電話機の外観を示す図である。
【図２】ＩＰ電話機による架電の際の回線利用を示す図である。
【図３】本発明のシステム構成の一例を示すシステム構成図である。
【図４】本発明のプロセスの流れの一例を示すフローチャート図である。
【図５】回路図の一例である。
【図６】ＩＰ電話機にＬＥＤが備えられている場合の拡大図である。
【符号の説明】
【００４５】
１：ＩＰ電話機
２：受話器
３：ＬＥＤ
４：プッシュボタン
５：モデム
６：相手先の電話機
１０：回線判別手段
１１：通知手段
【図１】
2005136680.tif 000003
【図２】
2005136680.tif 000004
【図３】
2005136680.tif 000005
【図４】
2005136680.tif 000006
【図５】
2005136680.tif 000007
【図６】
2005136680.tif 000008